(57)【要約】【課題】本発明は、安定性と信頼度が高いタッチパネル及びタッチ表示装置を提供することを目的とする。【解決手段】本発明に係るタッチ表示装置は、複数のタッチセンシングユニットを備えるタッチパネルと、１つの信号処理回路と、を備え、各タッチセンシングユニットは、１つのタッチセンシング素子と、１つのカップリングセンシング素子と、を備え、前記タッチセンシング素子及びカップリングセンシング素子は、タッチセンシング線によって、前記信号処理回路に接続され、ユーザーが前記タッチセンシングユニットのある位置にタッチすると、前記タッチセンシング素子は前記信号処理回路にタッチ信号を送信し、前記カップリングセンシング素子は前記信号処理回路にカップリング信号を送信し、前記信号処理回路は、前記カップリング信号に基づいて前記タッチ信号に対する処理を行うことにより、前記タッチ信号から妨害信号を除去する。【選択図】図１
2011090677.tif 000002
【特許請求の範囲】
【請求項１】
複数のタッチセンシングユニットを備えるタッチパネルと、１つの信号処理回路と、を備えるタッチ表示装置において、
各タッチセンシングユニットは、１つのタッチセンシング素子と、１つのカップリングセンシング素子と、を備え、
前記タッチセンシング素子及びカップリングセンシング素子は、タッチセンシング線によって、前記信号処理回路に接続され、
ユーザーが前記タッチセンシングユニットのある位置にタッチすると、前記タッチセンシング素子は前記信号処理回路にタッチ信号を送信し、前記カップリングセンシング素子は前記信号処理回路にカップリング信号を送信し、前記信号処理回路は、前記カップリング信号に基づいて前記タッチ信号に対する処理を行うことにより、前記タッチ信号から妨害信号を除去することを特徴とするタッチ表示装置。
【請求項２】
前記信号処理回路は、複数の信号処理ユニットを備え、各信号処理ユニットは、それぞれ１列のタッチセンシングユニットに対応し、且つ前記タッチセンシング線によって該列の前記タッチセンシング素子と前記カップリングセンシング素子に接続されていることを特徴とする請求項１に記載のタッチ表示装置。
【請求項３】
前記信号処理ユニットは、１つの比較回路を備え、前記比較回路の同相入力端は前記タッチ信号を受信し、前記比較回路の逆相入力端は前記カップリング信号を受信することを特徴とする請求項２に記載のタッチ表示装置。
【請求項４】
前記信号処理ユニットは、１つの第一信号記憶装置と１つの第二信号記憶装置をさらに備え、前記第一信号記憶装置は前記比較回路の同相入力端に接続され、且つ第一スイッチを介して前記タッチセンシング素子に接続され、前記第二信号記憶装置は前記比較回路の逆相入力端に接続され、且つ第二スイッチを介して前記カップリングセンシング素子に接続されていることを特徴とする請求項３に記載のタッチ表示装置。
【請求項５】
前記タッチパネルは複数の走査線をさらに備え、前記タッチセンシング素子はタッチ電極とスイッチ部品を含み、前記スイッチ部品は前記走査線と前記タッチセンシング線との間に接続され、且つ前記スイッチ部品の制御端は前記タッチ電極に接続されていることを特徴とする請求項１に記載のタッチ表示装置。
【請求項６】
前記タッチ表示装置はカラー・フィルターベースと薄膜トランジスタベースをさらに含み、前記カラー・フィルターベースは共通電極層を備え、
前記タッチセンシング素子は、カラー・フィルターベースに配置され且つ前記共通電極層に覆われている突起をさらに備え、前記タッチ電極と前記スイッチ部品は前記薄膜トランジスタベースに配置され且つ前記突起に対応し、前記突起に外力を加えると、前記共通電極層は前記タッチ電極に当接し、
前記カップリングセンシング素子は、前記薄膜トランジスタベースに配置されているスイッチ部品及び該スイッチ部品の制御端に接続されている電極を備え、前記カップリングセンシング素子に外力を加えても、前記カップリングセンシング素子のスイッチ部品はオフのままであることを特徴とする請求項５に記載のタッチ表示装置。
【請求項７】
各タッチセンシングユニットは１つの第一検出モジュールと１つの第二検出モジュールを含み、前記第一検出モジュールと第二検出モジュールは、それぞれ赤の画素ユニット、緑の画素ユニット、青の画素ユニットを含み、前記タッチセンシング素子は、前記第一検出モジュールの赤の画素ユニット、緑の画素ユニット、青の画素ユニットのうちのいずれか１つに配置され、前記カップリングセンシング素子は、前記第二検出モジュールの赤の画素ユニット、緑の画素ユニット、青の画素ユニットのうちのいずれか１つに配置されていることを特徴とする請求項１に記載のタッチ表示装置。
【請求項８】
各タッチセンシングユニットは１つの第一検出モジュールと１つの第二検出モジュールを含み、前記第一検出モジュールと第二検出モジュールは、それぞれ赤の画素ユニット、緑の画素ユニット、青の画素ユニットを含み、前記タッチセンシング素子と前記カップリングセンシング素子は、それぞれ前記第一検出モジュールの赤の画素ユニット、緑の画素ユニット、青の画素ユニットのうちのいずれか２つに配置されていることを特徴とする請求項１に記載のタッチ表示装置。
【請求項９】
複数の画素ユニットから構成される複数のタッチセンシングユニットを備えるタッチパネルにおいて、
前記各タッチセンシングユニットは、タッチセンシング素子と、カップリングセンシング素子と、を備え、
前記タッチセンシング素子及びカップリングセンシング素子は、それぞれ異なる画素ユニットに配置され、前記タッチセンシングユニットに外力を加えると、前記タッチセンシング素子及びカップリングセンシング素子は、前記タッチパネルのタッチセンシング線を介して、外部の信号処理回路に、それぞれタッチ信号及びカップリング信号を送信し、前記信号処理回路は、前記カップリング信号に基づいて前記タッチ信号に対する処理を行うことにより、前記タッチ信号から妨害信号を除去することを特徴とするタッチパネル。
【請求項１０】
前記タッチパネルはカラー・フィルターベースと薄膜トランジスタベースをさらに含み、前記カラー・フィルターベースは共通電極層を備え、
前記タッチセンシング素子は、前記薄膜トランジスタベースに配置されているスイッチ部品と、該スイッチ部品の制御端に接続されているタッチ電極と、前記カラー・フィルターベースに配置され且つ前記共通電極層に覆われている突起を備え、前記タッチ電極と前記スイッチ部品は前記薄膜トランジスタベースに配置され且つ前記突起に対応し、前記突起に外力を加えると、前記共通電極層が前記タッチ電極に当接され、
前記カップリングセンシング素子は、前記薄膜トランジスタベースに配置されているスイッチ部品及び該スイッチ部品の制御端に接続されている電極を備え、前記カップリングセンシング素子に外力を加えても、前記カップリングセンシング素子のスイッチ部品はオフのままであることを特徴とする請求項９に記載のタッチパネル。
【請求項１１】
複数のタッチセンシングユニットを備えるタッチパネルと、１つの信号処理回路を備えるタッチ表示装置において、
前記タッチパネルは、共通電極層を備える第一ベース及び第二ベースを備え、
各タッチセンシングユニットは、タッチ信号を送信するタッチセンシング素子と、カップリング信号を送信するカップリングセンシング素子を備え、前記信号処理回路は前記タッチ信号及びカップリング信号を処理することに使用され、
前記タッチセンシング素子は、前記第二ベースに配置されているスイッチ部品と、前記第一ベースに配置され且つ前記共通電極層に覆われている突起を備え、前記タッチセンシング素子に外力を加えると、前記突起を覆う共通電極層が前記第二ベースに当接して、前記スイッチ部品をオンさせ、前記タッチ信号を送信し、
前記カップリングセンシング素子は、前記第二ベースに配置されているスイッチ部品を備え、前記カップリングセンシング素子に外力を加えても、前記カップリングセンシング素子のスイッチ部品はオフのままであることを特徴とするタッチ表示装置。
【請求項１２】
前記タッチセンシング素子は、前記第二ベースに配置されているタッチ電極をさらに備え、前記タッチ電極は、前記タッチセンシング素子のスイッチ部品の制御端に接続されていて、前記タッチセンシング素子に外力を加えると、前記突起の共通電極層は前記タッチ電極に当接して、前記スイッチ部品をオンさせ、
前記カップリングセンシング素子は、前記第二ベースに配置されている電極をさらに備え、前記カップリングセンシング素子の電極は、前記カップリングセンシング素子のスイッチ部品の制御端に接続されていることを特徴とする請求項１１に記載のタッチ表示装置。
【発明の詳細な説明】
【技術分野】
【０００１】
本発明は、タッチパネル及びこれを用いるタッチ表示装置に関するものである。
【０００２】
表示技術の発展及び製造コストの低減に伴って、輻射が低く、厚さが小さく、消耗が低いなどの長所を持っているフラットパネル表示装置は、携帯電話、ゲーム機、ハンドヘルド・コンピュータ（Ｈａｎｄ−ｈｅｌｄ ＰＣ）のような色々な電子装置に広く用いられる。フラットパネル表示装置は、プラズマディスプレイ（ＰＤＰ）、液晶ディスプレイ（ＬＣＤ）、及び有機発光ダイオード（ＯＬＥＤ）等の種類がある。液晶ディスプレイは、他のフラットパネル表示装置よりコストが低いため、他のフラットパネル表示装置よりさらに広く用いられている。
【０００３】
近来、タッチ機能がある色々なフラットパネル表示装置、即ちタッチ表示装置がますます多くなっている。一般的にタッチ表示装置は、外付け式及び内蔵式がある。内蔵式タッチ表示装置は、タッチ感応部品を液晶ディスプレイパネル内に配置して、タッチパネル及び液晶ディスプレイパネルの両者の集積を実現することができ、タッチ表示装置全体の厚さが減少する一方、製作コストを低減することができる。
【０００４】
内蔵式のタッチ表示装置が起動された後、使用者が手指又は他の部品で前記タッチ表示装置のタッチパネルの画面の表面にタッチすると、タッチ位置に対応するタッチ感応部品は、使用者のタッチ動作を検出し且つ感応信号を外部の制御回路に送信する。前記制御回路は、前記感応信号に基づいて前記タッチパネル上のタッチ位置を判断し、且つ使用者が行おうとする操作に対応する制御信号を提供して、前記タッチ表示装置又は前記タッチ表示装置を用いる電子装置を制御して対応する操作を行う。
【０００５】
従来の内蔵式タッチ表示装置において、タッチ感応部品は液晶ディスプレイパネルの内部に配置されるため、前記液晶ディスプレイパネル内に存在する寄生要素（例えば、寄生容量など）及び外部環境温度などの要因に影響されて、前記タッチ感応部品から送信するタッチ信号は干渉を受けやすく、外部の制御回路は使用者のタッチ位置を正確に判断することができないので、前記タッチ表示装置及びその電子装置の誤動作を引き起こす。従って既存の内蔵式タッチ表示装置の安定性と信頼度は低くなる。
【発明の概要】
【発明が解決しようとする課題】
【０００６】
以上の問題点に鑑みて、本発明は、安定性と信頼度が高いタッチパネル及びタッチ表示装置を提供することを目的とする。
【課題を解決するための手段】
【０００７】
複数のタッチセンシングユニットを備えるタッチパネルと、１つの信号処理回路と、を備えるタッチ表示装置において、各タッチセンシングユニットは、１つのタッチセンシング素子と、１つのカップリングセンシング素子と、を備え、前記タッチセンシング素子及びカップリングセンシング素子は、タッチセンシング線によって、前記信号処理回路に接続されていて、ユーザーが前記タッチセンシングユニットのある位置にタッチすると、前記タッチセンシング素子は前記信号処理回路にタッチ信号を送信し、前記カップリングセンシング素子は前記信号処理回路にカップリング信号を送信し、前記信号処理回路は、前記カップリング信号に基づいて前記タッチ信号に対する処理を行うことにより、前記タッチ信号から妨害信号を除去する。
【０００８】
複数の画素ユニットから構成される複数のタッチセンシングユニットを備えるタッチパネルにおいて、前記各タッチセンシングユニットは、タッチセンシング素子と、カップリングセンシング素子と、を備え、前記タッチセンシング素子及びカップリングセンシング素子は、それぞれ異なる画素ユニットに配置され、前記タッチセンシングユニットに外力を加えると、前記タッチセンシング素子及びカップリングセンシング素子は、前記タッチパネルのタッチセンシング線を介して、外部の信号処理回路に、それぞれタッチ信号及びカップリング信号を送信し、前記信号処理回路は、前記カップリング信号に基づいて前記タッチ信号に対する処理を行うことにより、前記タッチ信号から妨害信号を除去する。
【０００９】
複数のタッチセンシングユニットを備えるタッチパネルと、１つの信号処理回路を備えるタッチ表示装置において、前記タッチパネルは、共通電極層を備える第一ベース及び第二ベースを備え、各タッチセンシングユニットは、タッチ信号を送信するタッチセンシング素子と、カップリング信号を送信するカップリングセンシング素子を備え、前記信号処理回路は前記タッチ信号及びカップリング信号を処理することに使用され、前記タッチセンシング素子は、前記第二ベースに配置されているスイッチ部品と、前記第一ベースに配置され且つ前記共通電極層に覆われている突起を備え、前記タッチセンシング素子に外力を加えると、前記突起を覆う共通電極層は前記第二ベースに当接して、前記スイッチ部品をオンさせ、前記タッチ信号を送信し、前記カップリングセンシング素子は、前記第二ベースに配置されているスイッチ部品を備え、前記カップリングセンシング素子に外力を加えても、前記カップリングセンシング素子のスイッチ部品はオフのままである。
【発明の効果】
【００１０】
従来の技術に比べて、本発明に係るタッチパネル及びこれを用いるタッチ表示装置は、前記タッチパネルの各々のタッチセンシングユニットに、類似する構造を有するタッチセンシング素子及びカップリングセンシング素子を設けて、前記信号処理回路は、前記カップリングセンシング素子が提供するカップリング信号に基づいて前記タッチセンシング素子から出力される前記タッチ信号に対する処理を行って、前記タッチ信号に混じっている妨害信号を除去する。したがって、前記制御回路は、処理を行った前記タッチ信号によって、前記タッチパネル上のタッチ位置を正確に判断することができ、且つ前記タッチ位置に基づいて前記タッチ表示装置及び前記タッチ表示装置を用いる電子部品を制御して対応するタッチ操作を行って、前記タッチ表示装置及び前記タッチ表示装置を用いる電子部品が生じる操作異常を減らし、その安定性と信頼性を向上させる。
【００１１】
従来の技術に比べて、本発明に係る他のタッチ表示装置において、前記タッチセンシング素子の突起を覆う共通電極層は外力により前記第二ベースに当接し、前記タッチセンシング素子のスイッチ部品がオンされて、前記タッチセンシング素子はタッチ信号を出力し、前記カップリングセンシング素子が外力を受けても、前記カップリングセンシング素子のスイッチ部品は前記共通電極層に当接せず、カップリング信号のみを出力する。前記信号処理回路は前記タッチ信号及び前記カップリング信号を処理することにより、前記タッチ信号に混じっている妨害信号を除去することができ、外力の位置を正確に判断でき、前記タッチ表示装置及び前記タッチ表示装置を用いる電子部品が生じる操作異常を減らし、その安定性と信頼性を向上させる。
【図面の簡単な説明】
【００１２】
【図１】本発明の第一実施例に係るタッチ表示装置の構造を示す図である。
【図２】図１に示したタッチ表示装置のタッチパネルのタッチ感応素子の構造を示す図である。
【図３】図１に示したタッチ表示装置の信号処理回路の信号処理ユニットの回路の構造を示す図である。
【図４】本発明の第二実施例に係るタッチ表示装置の構造を示す図である。
【図５】図４に示したタッチ表示装置の信号処理回路の信号処理ユニットの回路の構造を示す図である。
【発明を実施するための形態】
【００１３】
以下、図面に基づいて、本発明に係るタッチパネル及びそのタッチ表示装置について詳細に説明する。
【００１４】
図１は、本発明の第一実施例に係るタッチ表示装置の構造を示す図である。前記タッチ表示装置１００は、内蔵式タッチ表示装置であり、タッチパネル１１０と、スキャンドライバ回路１２０と、データドライバ回路１３０と、信号処理回路１４０と、制御回路１５０と、を備える。
【００１５】
前記タッチパネル１１０は、液晶ディスプレイパネルであってもよく、互いに平行に配置されているｍ＋１本の走査線Ｇ０〜Ｇｍと、前記走査線Ｇ０〜Ｇｍに直交し且つ互いに平行に配置されているｎ本のデータラインＤ１〜Ｄｎと、前記走査線Ｇ０〜Ｇｍ及び前記データラインＤ１〜Ｄｎによって区分され且つマトリックス状に分布されているｍ×ｎ個の画素ユニットＰｉｊ（ｉ、ｊはそれぞれ前記画素ユニットが第ｉ番目の行及び第ｊ番目の列に位置することを表し、１≦ｉ≦ｍ、1≦ｊ≦ｎである）と、を備える。
【００１６】
前記各画素ユニットＰｉｊは、１つの薄膜トランジスタ１１１及び１つの画素電極１１２を備えている。前記薄膜トランジスタ１１１のゲート電極は、対応する前記走査線Ｇｉ（１≦ｉ≦ｍ）によって、前記スキャンドライバ回路１２０に接続されている。前記薄膜トランジスタ１１１のソース電極は、対応するデータラインＤｊ（１≦ｊ≦ｎ）によって、前記データドライバ回路１３０に接続されている。前記薄膜トランジスタ１１１のドレイン電極は、前記画素電極１１２に接続されている。前記タッチパネル１１０は、前記複数の画素ユニットのそれぞれに対応する複数の共通電極が設けられている共通電極層（図示せず）をさらに備えている。前記各画素ユニットにおいて、前記画素電極１１２と、前記共通電極と、前記画素電極１１２と共通電極との間に挟まれている液晶層とによって液晶コンデンサが構成されている。
【００１７】
前記タッチパネル１１０において、マトリックス状に分布されているｍ×ｎ個の画素ユニットは複数のタッチセンシングユニット１１９に分けられる。この実施形態においては、図１に示したように、ｐ×ｑ（ｐ＝３、ｑ＝２）個の画素ユニットから１つのタッチセンシングユニット１１９が構成され、即ち１つのタッチセンシングユニット１１９は、３×２個の画素ユニットを含む。３×２個の画素ユニットは、隣接する行に位置する第一検出モジュールと第二検出モジュールに分けられる。前記第一検出モジュールと第二検出モジュールは、それぞれ３×１個の画素ユニットを含み、前記３×１個の画素ユニットは、赤（Ｒ）、緑（Ｇ）、青（Ｂ）の画素ユニットである。
【００１８】
コーザーが前記タッチ表示装置１００のタッチパネルの画面の表面にタッチすると（即ち対応するタッチセンシングユニット１１９に外力を加えると）、前記第一検出モジュールは、前記信号処理回路１４０にタッチ信号を送信し、前記第二検出モジュールは、前記信号処理回路１４０にカップリング信号を送信する。なお、ｐとｑは、それぞれ他の値であってもよく、前記タッチパネル１１０の構造もそれに応じて調整される。
【００１９】
例えば、前記第一検出モジュールと前記第二検出モジュールが、それぞれｉ番目の行とｉ＋１番目の行に位置すると仮定する。各タッチセンシングユニット１１９は、ｉ番目の行に位置する第一検出モジュールに配置されるタッチセンシング素子１０８と、ｉ＋１番目の行に位置する第二検出モジュールに配置されるカップリングセンシング素子１０９と、を含む。前記タッチセンシング素子１０８はｉ−１番目の走査線Ｇｉ−１に接続され、前記カップリングセンシング素子１０９はｉ番目の走査線Ｇｉに接続され、且つ前記タッチセンシング素子１０８と前記カップリングセンシング素子１０９は同一のタッチセンシング線１１４によって前記信号処理回路１４０に接続されている。
【００２０】
図２を同時に参照すると、各タッチセンシングユニット１１９において、前記タッチセンシング素子１０８は、カラー・フィルター（Ｃｏｌｏｒ  Ｆｉｌｔｅｒ，ＣＦ）ベースに配置され且つ前記共通電極層に覆われている突起１２１と、薄膜トランジスタ（Ｔｈｉｎ  Ｆｉｌｍ  Ｔｒａｎｓｉｓｔｏｒ，ＴＦＴ）ベースに配置され且つ前記突起１２１に対応するタッチ電極１２２と、１つの制御端を備えるスイッチ部品１２３と、を含む。前記制御端は、ユーザーが前記タッチセンシングユニット１１９に外力を加えるか否かによって、前記スイッチ部品１２３をオンまたはオフに制御する。
【００２１】
本実施例において、前記スイッチ部品１２３は、薄膜トランジスタの構造を有していてもよく、該薄膜トランジスタのゲート電極は、制御端として、前記タッチ電極１２２に延在して前記タッチ電極１２２に電気接続されている。該薄膜トランジスタのソース電極は、前記走査線Ｇｉ−１に電気接続されている。該薄膜トランジスタのドレイン電極は、前記タッチセンシング線１１４に電気接続されている。前記タッチセンシングユニット１１９に外力を加えると、前記突起１２１を覆う共通電極層が前記タッチ電極１２２に当接して、前記共通電極層の共通電圧を前記スイッチ部品１２３のゲート電極に印加して、前記スイッチ部品１２３をオンさせる。この時、前記スイッチ部品１２３は、そのソース電極が受信した前記走査線Ｇｉ−１からのスキャン信号をタッチ信号として、前記タッチセンシング線１１４を介して前記信号処理回路１４０に送信する。
【００２２】
前記カップリングセンシング素子１０９の構造は、前記タッチセンシング素子１０８の構造と類似している。即ち、前記カップリングセンシング素子１０９の薄膜トランジスタベース側の構造は、前記タッチセンシング素子１０８の薄膜トランジスタベース側の構造と同じである。前記カップリングセンシング素子１０９のカラー・フィルターベース側の構造は、前記タッチセンシング素子１０８のカラー・フィルターベース側の構造に比べて、前記突起が設けられていない。前記カップリングセンシング素子１０９は、電極１２４と、薄膜トランジスタの構造を有するスイッチ部品１２５と、を含む。前記スイッチ部品１２５のゲート電極、ソース電極及びドレイン電極は、それぞれ前記電極１２４、前記走査線Ｇｉ及び前記タッチセンシング線１１４に接続されている。
【００２３】
図３を同時に参照すると、前記信号処理回路１４０は、複数の信号処理ユニット１４１を備える。各信号処理ユニット１４１は、それぞれ１列の前記タッチセンシングユニット１１９に対応し、且つ該列のタッチセンシングユニット１１９に対応するタッチセンシング線１１４に接続され、当該タッチセンシング線１１４によって送信される信号を処理する。前記信号処理ユニット１４１は、１つの第一スイッチ１４２と、１つの第二スイッチ１４３と、１つの第一信号記憶装置１４４と、１つの第二信号記憶装置１４５と、１つの比較回路１４６と、を備える。前記第一スイッチ１４２の一端は前記タッチセンシング線１１４に接続され、その他端は前記第一信号記憶装置１４４を介して前記比較回路１４６に接続されている。前記第二スイッチ１４３の一端は、前記タッチセンシング線１１４に接続され、その他端は前記第二信号記憶装置１４５を介して前記比較回路１４６に接続されている。前記第一スイッチ１４２と前記第二スイッチ１４３は、パルス信号のタイミングシーケンスの制御下で交互にオンされる。具体的には、前記比較回路１４６は差動アンプを備えることができ、前記差動アンプは、前記第一信号記憶装置１４４に接続されている同相入力端と、前記第二信号記憶装置１４５に接続されている逆相入力端と、前記制御回路１５０に接続されている出力端と、を含む。前記第一信号記憶装置１４４と第二信号記憶装置１４５は、同じ構造を持っていて、それぞれが、並列に配置されているストレージ容量１４７及びスイッチ１４８を備えている。
【００２４】
前記タッチ表示装置を使用する時、前記スキャンドライバ回路１２０からのスキャン信号を前記走査線Ｇ０〜Ｇｍに送信し、ｋ番目の走査線が前記スキャンドライバ回路１２０からのスキャン信号を受信した時、前記タッチパネル１１０のｋ番目の行に位置する画素ユニットの薄膜トランジスタ１１１がオンされる。この時、前記データドライバ回路１３０は、対応するデータラインＤ１〜Ｄｎ及び前記薄膜トランジスタ１１１によって、前記ｋ番目の行の画素ユニットにデータ信号を送信し、前記タッチパネル１１０に、対応する画像を表示させる。
【００２５】
コーザーが手指又は他の部品で前記タッチ表示装置１００をタッチして対応する操作を行う時、前記タッチ位置に対応するタッチセンシングユニット１１９は前記タッチ操作による外力を受けるため、前記タッチセンシング素子１０８の突起１２１を覆う共通電極層が前記タッチ電極１２２に当接して、前記共通電極層の共通電圧を前記スイッチ部品１２３のゲート電極に印加して、前記スイッチ部品１２３をオンさせる。
【００２６】
前記タッチセンシングユニット１１９に接続されている走査線Ｇｉ−１がスキャン信号を受信すると、前記スイッチ部品１２３は、前記スキャン信号をタッチ信号として、前記タッチセンシング線１１４によって、前記信号処理回路１４０の対応する信号処理ユニット１４１に送信する。タイミングシーケンスの制御により、前記走査線Ｇｉ−１がスキャン信号を受信すると、前記信号処理ユニット１４１の第一スイッチ１４２がオンされ、前記第二スイッチ１４３がオフされて、前記タッチ信号は前記第一スイッチ１４２を介して前記第一信号記憶装置１４４のストレージ容量１４７に送信される。実際には、前記タッチ表示装置１００の寄生部品のカップリング作用及び外部環境温度などの要因に影響されて、前記信号処理ユニット１４１によって受信されるタッチ信号には、他の妨害信号が混じることがある。
【００２７】
次の走査線Ｇｉがスキャン信号を受信すると、前記信号処理ユニット１４１の第一スイッチ１４２がオフされ、前記第二スイッチ１４３がオンされる。この時、前記カップリングセンシング素子１０９は、前記タッチ表示装置の寄生部品のカップリング作用及び外部環境温度などの要因に影響されて、前記信号処理ユニット１４１にカップリング信号を送信する。前記カップリング信号は、前記第二スイッチ１４３を介して、前記第二信号記憶装置１４５のストレージ容量１４７に送信される。前記カップリングセンシング素子１０９は前記タッチセンシング素子１０８と隣接し、且つ両者の構造は似ているので、前記カップリング信号は、前記タッチ信号に混じっている妨害信号とほぼ同じである。前記タッチ信号とカップリング信号が、それぞれ前記第一信号記憶装置１４４と第二信号記憶装置１４５に記憶された後に、前記比較回路１４６は、前記第一信号記憶装置１４４からタッチ信号を読み取るとともに、前記第二信号記憶装置１４５からカップリング信号を読み取って比較し（即ちタッチ信号とカップリング信号の差をとり）、即ち前記カップリング信号に基づいて前記タッチ信号に対する処理を行うことにより、前記タッチ信号から前記妨害信号を除去する。
【００２８】
前記比較回路１４６は、前記信号処理ユニット１４１によって処理されたタッチ信号を前記制御回路１５０に送信し、前記制御回路１５０にタッチ位置の座標を判断させる。前記制御回路１５０は、さらにタッチ位置の座標に基づいて使用者が操作しようとする具体的内容を明確にし、且つ対応する制御信号を提供して前記タッチ表示装置１００または前記タッチ表示装置１００を用いる電子部品を制御することにより、対応するタッチ操作を行う。
【００２９】
従来の技術に比べて、本発明のタッチ表示装置１００は、前記タッチパネル１１０の各々のタッチセンシングユニット１１９に、類似する構造を有する前記タッチセンシング素子１０８及び前記カップリングセンシング素子１０９を設けて、前記信号処理回路１４０は、前記カップリングセンシング素子１０９が提供するカップリング信号に基づいて、前記タッチセンシング素子１０８から出力される前記タッチ信号に対する処理を行って、前記タッチ信号に混じっている妨害信号を除去する。したがって、前記制御回路１５０は、処理を行った前記タッチ信号によって、前記タッチパネル１１０上のタッチ位置を正確に判断することができ、且つ前記タッチ位置に基づいて前記タッチ表示装置１００及び前記タッチ表示装置１００を用いる電子部品を制御して対応するタッチ操作を行って、前記タッチ表示装置１００及び前記タッチ表示装置１００を用いる電子部品が生じる操作異常を減らし、その安定性と信頼性を向上させる。
【００３０】
図４と図５を同時に参照すると、本発明の第二実施例に係るタッチ表示装置２００の構造は、前記第一実施例に係るタッチ表示装置１００の構造と大体同じであるが、両者のタッチパネルの構造が異なる。具体的に説明すると、前記タッチ表示装置２００のタッチパネル２１０において、各タッチセンシングユニット２１９のタッチセンシング素子２０８及びカップリングセンシング素子２０９は、どちらも同じ行の画素ユニットに配置され、且つ同一の走査線Ｇｉに接続されている。前記タッチセンシング素子２０８は、第一タッチセンシング線２１４によって、信号処理回路２４０に接続されている。カップリングセンシング素子２０９は、第二タッチセンシング線２１４によって、信号処理回路１４０に接続されている。前記第一タッチセンシング線２１４は、前記信号処理ユニット２４１の第一スイッチ２４２を介して比較回路２４６に接続されている。前記第二タッチセンシング線２１４は、前記信号処理ユニット２４１の第二スイッチ２４３を介して前記比較回路２４６に接続されている。
【００３１】
ユーザーが前記タッチ表示装置２００のタッチパネル２１０にタッチして、前記走査線Ｇｉがスキャン信号を受信すると、前記信号処理回路２４０は前記タッチセンシング素子２０８からのタッチ信号及び前記カップリングセンシング素子２０９からのカップリング信号を同時に受信して、前記信号処理回路２４０は前記カップリング信号に基づいて前記タッチ信号に対する処理を行うことにより、前記タッチ信号に混じっている妨害信号を除去して、前記タッチ表示装置２００の安定性と信頼性を向上させる。
【００３２】
前記タッチセンシング素子１０８は、前記突起１２１、前記タッチ電極１２２及び前記スイッチ部品１２３から構成されるものではなくても、光電薄膜トランジスタからなる感光型タッチセンシング素子であってもよい。また、前記スイッチ部品１２３、１２５が、ゲート電極が頂上に位置する薄膜トランジスタである時、前記タッチセンシング素子１０８は前記タッチ電極１２２を含まなくてもよく、前記カップリングセンシング素子１０９は前記電極１２４を含まなくてもよい。前記突起１２１を覆う共通電極層は外力によって前記スイッチ部品１２３のゲート電極に当接する。
【００３３】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００３４】
１００、２００                タッチ表示装置
１１０、２１０                タッチパネル
１２０                        スキャンドライバ回路
１３０                        データドライバ回路
１４０、２４０                信号処理回路
１５０                        制御回路
１１１                        薄膜トランジスタ
１１２                        画素電極
１１４、２１４                タッチセンシング線
１１９、２１９                タッチセンシングユニット
１０８、２０８                タッチセンシング素子
１０９、２０９                カップリングセンシング素子
１４１、２４１                信号処理ユニット
Ｇ０〜Ｇｍ                    走査線
Ｄ１〜Ｄｎ                    データライン
１２１                        突起
１２２                        タッチ電極
１２３、１２５                スイッチ部品
１２４                        電極
１４２、２４２                第一スイッチ
１４３、２４３                第二スイッチ
１４４                        第一信号記憶装置
１４５                        第二信号記憶装置
１４６、２４６                比較回路
【図１】
2011090677.tif 000003
【図２】
2011090677.tif 000004
【図３】
2011090677.tif 000005
【図４】
2011090677.tif 000006
【図５】
2011090677.tif 000007